(57)【特許請求の範囲】
【請求項１】
上部に高さの異なる照明器が選択して取り付けられるミラーキャビネット本体の下方かつ洗面器カウンター上方との間隙の躯体壁面に、前記照明器の高さに応じて別体の収納棚が選択して設けられるようになっており、
前記収納棚の奥行寸法は前記ミラーキャビネット本体の奥行寸法と等しくなっていることを特徴とするミラーキャビネット。
【請求項２】
前記収納棚は前面に開閉扉を有し、かつ前記開閉扉は上縁側が前後に開閉可能となっていることを特徴とする請求項１記載のミラーキャビネット。
【発明の詳細な説明】
【技術分野】
【０００１】
本発明は、ミラーキャビネットとミラーキャビネットの設置方法に関するものである。
【背景技術】
【０００２】
従来、特許文献１に開示されているように、収納ユニット部材の下側に、付属ユニット部材を設けた組立式キャビネットが存在する。
【先行技術文献】
【特許文献】
【０００３】
【特許文献１】特開２００１−１０４０６６号公報
【発明の概要】
【発明が解決しようとする課題】
【０００４】
上記特許文献１に開示されているのは、別体の収納ユニット部材と付属ユニット部材を枠部材を介し壁に取り付けるタイプのキャビネットであり、壁に直付けで設置するタイプのキャビネットではない。
壁に直付けで設置するタイプのミラーキャビネットにおいて、２種類以上の高さの異なる照明器を選択してミラーキャビネット本体の上部に設けて設置する場合、ミラーキャビネットの上端高さを揃えるためには、ミラーキャビネット本体は高さの異なる２種類以上のものを用意しておく必要があり、２種類以上の高さの異なるミラーキャビネット本体をそれぞれ別の金型を用いて製造するにはコストが増大してしまうという問題点があった。
また、ミラーキャビネットの上端高さを揃えるために、高さ調節用のバックパネルを使用することも考えられるが、このバックパネルを使用して高さを揃える場合には、ミラーキャビネット本体の収納空間の収納力が減少してしまうという問題点があった。
【課題を解決するための手段】
【０００５】
本発明は、高さの異なる照明器を選択して上部に設ける場合、高さの異なる２種類の照明器に対して１種類のキャビネット本体で対応して、上端高さを揃えることのできるミラーキャビネット及びその設置方法の提供を目的とし、この目的の少なくとも一部を達成するために以下の手段を採った。
本発明のミラーキャビネットは、上部に高さの異なる照明器が選択して取り付けられるミラーキャビネット本体の下方かつ洗面器カウンター上方との間隙の躯体壁面に、前記照明器の高さに応じて別体の収納棚が選択して設けられるようになっており、前記収納棚の奥行寸法は前記ミラーキャビネット本体の奥行寸法と等しくなっていることを要旨とする。
【発明の効果】
【０００６】
本発明のミラーキャビネットでは、ミラーキャビネット本体の下方かつ洗面器カウンター上方との間隙の躯体壁面に、別体の収納棚を設けて、別体の収納棚によりミラーキャビネットの上端高さを揃えて設置することが可能となる。
【０００７】
また、本発明に係るミラーキャビネットの収納棚は、前面に開閉扉を有し、かつ前記開閉扉は上縁側が前後に開閉可能な構成であってもよい。
このような構成によれば、開閉扉を前方側へ開いて上方を開放させれば、内部に収容されている小物を容易に取り出すことができる。
【図面の簡単な説明】
【０００８】
【図１】洗面化粧台の設置状態の正面構成図である。
【図２】洗面化粧台の設置状態の側面構成図である。
【図３】ミラーキャビネット本体と収納棚の分解斜視図である。
【図４】収納棚の扉を開けて使用している状態の洗面化粧台の側面構成図である。
【図５】洗面化粧台の側面側にトールキャビネットを設置して上端高さをトールキャビネットと揃えた正面構成図である。
【図６】上端に背の高い蛍光灯照明器を設けたミラーキャビネットの設置状態の側面構成図である。
【発明を実施するための形態】
【０００９】
次に、本発明を実施するための形態を実施例を用いて説明する。
図１は、洗面化粧台の設置状態の正面構成図であり、図２は、設置状態の側面構成図である。
洗面化粧台１は、洗面キャビネット２の上部に、洗面器を備えた洗面器カウンター３が設けられており、その上方にミラーキャビネットが設置されるが、ミラーキャビネット本体４の上部に高さの低いＬＥＤ照明器５が設けられる場合は、ミラーキャビネット本体４の下端側に別体の収納棚６を配置して、壁面Ｗにミラーキャビネット本体４を直付けで設置する。
【００１０】
ミラーキャビネット本体４と収納棚６の分解斜視図を図３に示す。
ミラーキャビネット本体４は、前面に３枚の鏡を有する鏡扉４ａ，４ａ，４ａが開閉可能に設けられており、その奥側は収納空間となっている。ミラーキャビネット本体４の上端にはＬＥＤランプで構成した背の低いＬＥＤ照明器５が設置されている。
収納棚６は、上縁側を前後方向に開閉できる開閉扉６ａが前面に設けられており、開閉扉６ａを開けた状態で、上方側から手を入れて内部の小物入れ空間Ｓ内に収納されている化粧品用具等の小物を取り出すことができるように、上面が開放された長方形箱状に形成されている。
【００１１】
なお、図２に示すように、洗面器カウンター３の後端には、上方へ一体状に立ち上げてバックガード３ａが形成されているが、このバックガード３ａ上に収納棚６の底面が当接されて壁面Ｗに設置されるものであり、この収納棚６は予めミラーキャビネット本体４の下端にビス等で固定しておいて、収納棚６とミラーキャビネット本体４が一体化したものを壁面Ｗに設置するのである。なお、図中７は、水栓である。
【００１２】
設置状態において、図４に示すように、収納棚６の前面の開閉扉６ａを前方側へ開けて上方を開放させ、鏡扉４ａの鏡を見ながら手を収納棚６内に入れて、内部に収納されている化粧用具等の小物を取り出して良好に使用することができ、使用勝手が良好なものとなる。
【００１３】
このように壁面Ｗに設置される洗面化粧台１は、側方に図５のように背の高いトールキャビネット９を設置する場合があり、このトールキャビネット９の上端とＬＥＤ照明器５の上端の高さが同一となるようにして、壁面Ｗにすっきりとした状態で設置されるものである。
【００１４】
なお、設置現場において、背の低いＬＥＤ照明器５を用いず、背の高い蛍光灯照明器８をミラーキャビネット本体４の上部に設ける場合もあり、この場合は、図６の側面図で示すように、ミラーキャビネット本体４の下方に収納棚６は設置せず、ミラーキャビネット本体４の下端を洗面器カウンター３のバックガード３ａ上に載せて、壁面Ｗにミラーキャビネット本体４を設置するのである。
【００１５】
例えば、ミラーキャビネット本体４の上下高さ寸法を７２０ｍｍに設定して、１種類のミラーキャビネット本体４を１種類の金型でコストを低減させて製造しておき、一方、収納棚６は、上下高さ寸法を１００ｍｍに設定して製造しておく。
ＬＥＤ照明器５を上端に設置する場合には、ＬＥＤ照明器５は上下高さ寸法が２０ｍｍであり、ミラーキャビネット本体４の下部に収納棚６を設けて、図２および図４のように設置した状態では、ミラーキャビネット本体４の高さ寸法７２０ｍｍと収納棚６の高さ寸法１００ｍｍとＬＥＤ照明器５の高さ寸法２０ｍｍを加えた高さ寸法は８４０ｍｍとなり、この８４０ｍｍが洗面器カウンター３のバックガード３ａの上端からＬＥＤ照明器５の上端までの高さとなる。
【００１６】
一方、蛍光灯照明器８をミラーキャビネット本体４の上端に設置する場合には、この蛍光灯照明器８の上下高さ寸法は１２０ｍｍに設定されており、ミラーキャビネット本体４の下方には収納棚６は設けないために、ミラーキャビネット本体４の高さ寸法７２０ｍｍと蛍光灯照明器８の高さ寸法１２０ｍｍを加えた高さ寸法は８４０ｍｍとなり、この８４０ｍｍが洗面器カウンター３のバックガード３ａの上端から蛍光灯照明器８の上端までの高さとなる。
【００１７】
即ち、ＬＥＤ照明器５を設け、かつ収納棚６を取り付けた場合と、収納棚６を無くして蛍光灯照明器８を設置した場合とでは、高さ寸法は同一となり、ＬＥＤ照明器５あるいは蛍光灯照明器８の何れを採用した場合でも、ミラーキャビネットの上端の高さ位置は同一となり、トールキャビネット９の上端と面一状に壁面Ｗに設置することができ、ＬＥＤ照明器５あるいは蛍光灯照明器８の何れを採用しても、上端高さを揃えることができるものとなる。
即ち、ミラーキャビネット本体４は、１種類の高さ寸法のものをコストを低減させて製造しておくだけで良く、全体のコストを低減させることができる。
【００１８】
また、従来のように、バックパネルを用いて高さ調整を行う場合に比べて、ミラーキャビネット本体４の内部の収納力は減少することがなく、良好な収納力を確保することができる。
【符号の説明】
【００１９】
１  洗面化粧台
２  洗面キャビネット
３  洗面器カウンター
３ａ  バックガード
４  ミラーキャビネット本体
４ａ  鏡扉
５  ＬＥＤ照明器
６  収納棚
６ａ  開閉扉
８  蛍光灯照明器
９  トールキャビネット
Ｓ  小物入れ空間
【図１】
0005912409.tif 000002
【図２】
0005912409.tif 000003
【図３】
0005912409.tif 000004
【図４】
0005912409.tif 000005
【図５】
0005912409.tif 000006
【図６】
0005912409.tif 000007